【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
高ダイナミックレンジ画像を符号化する画像符号化ユニットであって、
−前記高ダイナミックレンジ画像の範囲に含まれる全輝度範囲内で、輝度の低ダイナミックレンジ又は対応するルーマコード値の範囲を識別するためのＬＤＲセレクタであって、前記輝度の低ダイナミックレンジ又は対応するルーマコード値の範囲は、その中に符号化される画像情報がＬＤＲレンダリングのために使用可能である程度に大きい、ＬＤＲセレクタと、
−前記全輝度範囲内で、前記輝度の低ダイナミックレンジの範囲に含まれない輝度を主に含む少なくとも１つの補完的範囲を選択するためのＨＤＲセレクタと、
−Ｎビットコードワードを少なくとも含むルーマ成分を有する第１の画像内で、前記輝度の低ダイナミックレンジに含まれる前記高ダイナミックレンジ画像の画素輝度を第１のマッピングによってルーマコード値に符号化し、前記少なくとも１つの補完的範囲に含まれる前記高ダイナミックレンジ画像の画素輝度を第２のマッピングによってルーマコード値に符号化するコードマッピングユニットであって、前記第１のマッピング及び前記第２のマッピングは前記第１の画像のルーマコード値の範囲の離れた部分範囲にマップする、コードマッピングユニットと
を含む、画像符号化ユニット。
【請求項２】
前記輝度の低ダイナミックレンジに含まれる輝度を有する前記高ダイナミックレンジ画像の画素色に比色変換を施し、それらの画素色について修正済みの画素輝度を得る変換ユニットを含む、請求項１に記載の画像符号化ユニット。
【請求項３】
前記ＬＤＲセレクタが、入力されるＬＤＲグレーデッド画像及び／又はそのＬＤＲグレーデッド画像を特徴付けるメタデータに基づき、前記全輝度範囲のうちの前記輝度の低ダイナミックレンジを識別する識別ユニットを含む、請求項１又は２に記載の画像符号化ユニット。
【請求項４】
前記コードマッピングユニットが、前記ＬＤＲグレーデッド画像内に符号化される前記画素色値に従って前記輝度の低ダイナミックレンジに含まれる前記高ダイナミックレンジ画像の画素輝度をマップする、請求項３に記載の画像符号化ユニット。
【請求項５】
前記第１の画像に加え、特徴的輝度レベル又は特徴的ルーマコード値の少なくとも１つを出力する画像信号フォーマッタを含む、請求項１乃至４の何れか１項に記載の画像符号化ユニット。
【請求項６】
−高ダイナミックレンジ画像の範囲に含まれる全輝度範囲内で、輝度の低ダイナミックレンジ又は対応するルーマコード値の範囲を選択するステップであって、前記輝度の低ダイナミックレンジ又は対応するルーマコード値の範囲は、その中に符号化される画像情報がＬＤＲレンダリングのために使用可能である程度に大きい、選択するステップと、
−前記全輝度範囲内で、前記輝度の低ダイナミックレンジの範囲に含まれない輝度を主に含む少なくとも１つの補完的範囲を選択するステップと、
−Ｎビットコードワードを少なくとも含むルーマ成分を有する第１の画像のルーマコードに、第１のマッピングによってルーマコード値のために前記輝度の低ダイナミックレンジに含まれる前記高ダイナミックレンジ画像の画素輝度及び、第２のマッピングによってルーマコード値のために前記少なくとも１つの補完的範囲に含まれる前記高ダイナミックレンジ画像の画素輝度をマッピングするステップであって、前記第１のマッピング及び前記第２のマッピングは前記第１の画像のルーマコード値の範囲の離れた部分範囲にマップする、マッピングするステップと
を含む、高ダイナミックレンジ画像の画像符号化方法。
【請求項７】
前記輝度の低ダイナミックレンジ内の輝度を有する画素に対してカラーグレーディングを行うステップを含む、請求項６に記載の高ダイナミックレンジ画像の画像符号化方法。
【請求項８】
高ダイナミックレンジ画像の符号化から高ダイナミックレンジ画像を得る画像復号ユニットであって、
−前記高ダイナミックレンジ画像の範囲に含まれる全輝度範囲内で、輝度の低ダイナミックレンジ又は対応するルーマコード値の範囲を決定し、前記高ダイナミックレンジ画像の符号化から低ダイナミックレンジ画像を得るＬＤＲリカバリーユニットであって、前記輝度の低ダイナミックレンジ又は対応するルーマコード値の範囲は、その中に符号化される画像情報がＬＤＲレンダリングのために使用可能である程度に大きい、ＬＤＲリカバリーユニットと、
−前記全輝度範囲内で、前記輝度の低ダイナミックレンジの範囲に含まれない輝度を主に含む少なくとも１つの補完的範囲を決定し、その少なくとも１つの補完的範囲に対応する前記高ダイナミックレンジ画像の符号化から少なくとも１つの高ダイナミックレンジ副画像を決定するＨＤＲリカバリーユニットと、
−前記低ダイナミックレンジ画像及び前記少なくとも１つの高ダイナミックレンジ副画像から前記高ダイナミックレンジ画像を構成する画像構成ユニットであって、前記低ダイナミックレンジ画像及び前記少なくとも１つの高ダイナミックレンジ副画像は、前記高ダイナミックレンジ画像の主として重複しない輝度の部分範囲を範囲に含む、当該画像構成ユニットと
を含む、画像復号ユニット。
【請求項９】
特徴的輝度レベル又は特徴的ルーマコード値の少なくとも１つを入力メタデータから抽出する特徴的グレイ値識別ユニットを含む、請求項８に記載の画像復号ユニット。
【請求項１０】
前記ＬＤＲリカバリーユニットが、前記特徴的輝度レベル又は前記特徴的ルーマコード値に基づき前記輝度の低ダイナミックレンジを決定する、請求項９に記載の画像復号ユニット。
【請求項１１】
少なくとも画素色の輝度又はルーマが、前記特徴的輝度レベル又は前記特徴的ルーマコード値のそれぞれによって定められる前記高ダイナミックレンジ画像の輝度又はルーマの部分範囲に含まれる場合、前記画素色を変換するトーンマッピングユニットを含む、請求項９に記載の画像復号ユニット。
【請求項１２】
前記トーンマッピングユニットが、好ましくは光センサーからの周辺照明の測定に応じて、少なくとも一定の閾値未満の輝度又はルーマを有する画素色の明るくする変換を施す、請求項１１に記載の画像復号ユニット。
【請求項１３】
高ダイナミックレンジ画像の符号化から高ダイナミックレンジ画像を得るための画像復号化方法であって、
前記高ダイナミックレンジ画像の範囲に含まれる全輝度範囲内で、輝度の低ダイナミックレンジ又は対応するルーマコード値の範囲を決定し、前記高ダイナミックレンジ画像の符号化から低ダイナミックレンジ画像を得るステップであって、前記輝度の低ダイナミックレンジ又は対応するルーマコード値の範囲は、その中に符号化される画像情報がＬＤＲレンダリングのために使用可能である程度に大きい、ステップと、
前記全輝度範囲内で、前記輝度の低ダイナミックレンジの範囲に含まれない輝度を主に含む少なくとも１つの補完的範囲を決定し、その少なくとも１つの補完的範囲に対応する前記高ダイナミックレンジ画像の符号化から少なくとも１つの高ダイナミックレンジ副画像を決定するステップと、
前記低ダイナミックレンジ画像及び前記少なくとも１つの高ダイナミックレンジ副画像から前記高ダイナミックレンジ画像を構成するステップであって、前記低ダイナミックレンジ画像及び前記少なくとも１つの高ダイナミックレンジ副画像は、前記高ダイナミックレンジ画像の主として重複しない輝度の部分範囲を範囲に含む、当該構成するステップと
を含む、方法。
【請求項１４】
プロセッサーが実施することを可能にする、請求項６に記載の符号化方法のソフトウェアを含む、コンピュータプログラム。
【請求項１５】
プロセッサーが実施することを可能にする、請求項１３に記載の復号化方法のソフトウェアを含む、コンピュータプログラム。
【請求項１６】
高ダイナミックレンジ画像を符号化する画像信号であって、レンダリングされる輝度上へのルーマコード値のマッピングによって定められる二次元ルーマピクチャを体系化する符号化を少なくとも含み、輝度の低ダイナミックレンジは、低ダイナミックレンジのディスプレイシステム上でレンダリングするためにその色特性に関して調整される低ダイナミックレンジ画像の符号化を範囲に含み、前記輝度の低ダイナミックレンジは、その中に符号化される画像情報がＬＤＲレンダリングのために使用可能である程度に大きく、重複しない補完的な部分範囲は、高ダイナミックレンジのディスプレイシステム上で前記ダイナミックレンジ画像をレンダリングするために使用可能な高ダイナミックレンジ画素色を範囲に含むことを特徴とする、画像信号。
【請求項１７】
特徴的輝度レベル又は特徴的ルーマコード値の少なくとも１つを更に含む、請求項１６に記載の画像信号。
【請求項１８】
請求項１６又は１７に記載の信号を含む例えばブルーレイディスクなどのリムーバブルデータキャリアなどの、メモリハードウェアコンポーネント。